(57)【要約】      （修正有）【課題】歯の直径の変化を考慮した構造で、より便利に抜歯した部分を磨くことができる歯ブラシを提供する。【解決手段】平面で形成され、横の長さが縦の長さよりも長く形成されたヘッド１００、ヘッドの上面と下面に垂直な方向にそれぞれ形成される上側ブラシ４００と下側ブラシ２００及びヘッドの一側端に連結され、下面方向に延長形成されるＬ字型ハンドル３００を含んでなる。【選択図】図１
0003206056.tif 000002
【実用新案登録請求の範囲】
【請求項１】
上面と下面を有し、横の長さ（Ｗ）が縦の長さ（Ｈ）より長く形成されたヘッド（１００）と、
前記ヘッド（１００）の下面に垂直な方向に形成される下側ブラシ（２００）と、
前記ヘッド（１００）の中央の一側面に連結され、Ｌ字型に屈曲されて延長形成されるハンドル（３００）と、
前記ヘッド（１００）の上面に形成される上側ブラシ（４００）と、
を含んでなり、
前記下側ブラシ（２００）及び前記上側ブラシ（４００）は、前記ヘッド（１００）を貫通して一体化されてなり、
前記下側ブラシ（２００）及び上側ブラシ（４００）は、前記ハンドル（３００）側は短く、前記ハンドル（３００）から離れるほど長くなり、
前記ヘッド（１００）の中端に前記下側ブラシ（２００）と上側ブラシ（４００）に垂直な方向に、前記下側ブラシ（２００）と上側ブラシ（４００）を固定するためにスライドされる固定装置をさらに含んでなり、
前記ヘッド（１００）及びハンドル（３００）は、一体化されることを特徴とするＬ字型歯ブラシ。
【考案の詳細な説明】
【技術分野】
【０００１】
本考案は、歯ブラシに関し、従来に比べて歯ブラシの毛が備えられたヘッドが折れて、歯の側面を容易に磨くことができるように作られたＬ字型歯ブラシに関する。
【背景技術】
【０００２】
歯磨きの目的は、口の中に残っている食べ物のかすを除去して口臭と虫歯、歯周病を予防することにある。歯磨きは、歯ブラシで歯の間にある食べ物や歯の表面の細菌膜を除去することで、歯の表面の細菌膜をプラークと言い、このようなプラークは、歯磨きで除去できるが、これをそのまま放置すれば、他の物質と結合して歯石となるので、食後、すぐに歯磨きをすることが重要である。
【０００３】
このような歯磨きをするためには、歯ブラシが必要であり、従来に使用されている歯ブラシは、殆ど一字型の棒状に一方向に歯ブラシの毛が形成された形態が、ほとんどであった。このような形で製作された従来の歯ブラシを使用する歯磨きは、 歯の上方や前歯を磨いやすい構造であるが、奥歯の内側や抜歯された部分の周辺のような歯の死角地帯を磨くためには困難であった。特に親知らずが抜歯されて形成された奥歯の内側は、気にして歯磨きをしなければ、歯磨きしてもよく磨かれていないので、口臭や虫歯を誘発する場合が多かった。
【０００４】
また、従来に使用される歯ブラシは、歯ブラシの毛の長さが一定した場合が多い。従来のこのような形態の歯ブラシは、奥歯が歯の食べ物と接触する歯の端である歯冠から歯茎に行くほど幅が狭くなる、傾斜した形態に対する考慮がなく、これにより、口の中の奥深いところにある歯をきちんと磨けない不便さがあった。
【０００５】
特許文献１では、歯ブラシについて開示されている。特許文献１は、より詳細には、頭部、首部、及びハンドル部から構成される。前記頭部、前記首部、及び前記ハンドル部は、それぞれ一定の角度を形成して結合し、ユーザの歯を磨くことができるように製作された歯ブラシである。特許文献１は、ユーザの歯を様々な角度で磨くことができるが、ユーザが使用するのに不便であり、歯の先端から歯茎に行くほど減少する直径に対する配慮がなく、抜歯されたところを歯磨きするときに不便であるという問題点がある。
【先行技術文献】
【特許文献】
【０００６】
【特許文献１】韓国公開特許第２００８−０１０８９０１号公報（「歯ブラシ」、２００８.１２.１６）
【考案の概要】
【考案が解決しようとする課題】
【０００７】
したがって、本考案は、前記問題点を解決するために案出されたもので、本考案の目的は、従来の歯ブラシで磨き難いところを容易に磨くことができる構造を持ちながらも、歯の直径の変化を考慮した構造で、より便利に抜歯した部分を磨くことができる歯ブラシを提供することにある。
【課題を解決するための手段】
【０００８】
前記のような目的を達成するための本考案のＬ字型歯ブラシは、上面と下面を有し、横の長さが、縦の長さより長く形成されたヘッド、前記ヘッドの下面に垂直な方向に形成される下側ブラシ、及び前記ヘッドの中央の一側面に連結され、Ｌ字型に屈曲されて延長形成されるハンドルを含んでなることを特徴とする。
【０００９】
また、前記下側ブラシは、前記ハンドル側は短く、前記ハンドルから離れるほど長くなることを特徴とする。
【００１０】
また、前記Ｌ字型歯ブラシは、前記ヘッドの上面に形成される上側ブラシをさらに含むことを特徴とする。
【００１１】
また、前記下側ブラシと前記上側ブラシとは、前記ヘッドを貫通して一体化されることを特徴とする。
【考案の効果】
【００１２】
本考案によれば、ヘッドとハンドルが折れた形態を持つため、奥歯の内側と歯の側面を容易に磨くことができる効果がある。
【００１３】
また、本考案によれば、下側ブラシが歯の側面に沿って徐々に長くなる形態を有するので、歯の側面をより容易に磨くことができる効果がある。
【００１４】
また、本考案によれば、下側ブラシと上側ブラシが互いに反対方向に形成され、抜歯された部分の周辺の歯を容易に磨くことができる効果がある。
【図面の簡単な説明】
【００１５】
【図１】本考案によるＬ字型歯ブラシの斜視図である。
【図２】本考案によるＬ字型歯ブラシの上側断面図である。
【図３】本考案によるＬ字型歯ブラシの側断面図である。
【図４】本考案によるＬ字型歯ブラシの使用例示図である。
【考案を実施するための形態】
【００１６】
以下、前記のような構成を有する本考案によるＬ字型歯ブラシを、添付された図面を参照して詳細に説明する。
【００１７】
図１は、本考案によるＬ字型歯ブラシの一実施例を示したもので、図面に示されたように、本考案によるＬ字型歯ブラシは、ヘッド１００、下側ブラシ２００、ハンドル３００、及び上側ブラシ４００を含んでなる。
【００１８】
前記ヘッド１００は、上面と下面を有し、横の長さＷが縦の長さＨより長く形成される。図２は、前記ヘッド１００の横の長さＷと縦の長さＨの比較が容易なように、本考案によるＬ字型歯ブラシの一実施例の上面を示したもので、図２に示すように、横の長さＷが縦の長さＨよりも長い形状を有する。これは、ユーザが本考案によるＬ字型歯ブラシを使用するとき、前記縦の長さＨが、歯の高さと同じ方向になるように、歯の側面や奥歯の内側に挿入されるようにするためであり、前記横の長さＷが、前記縦長さＨよりも長いのは、歯の側面を磨くときよりも広い面積を磨くためである。また、前記横の長さＷは、歯の側面の幅よりも若干長い程度の長さを有する。前記横の長さＷが長すぎると、奥歯の内側や抜歯した部分をブラッシングするとき、前記ヘッドＷの左右側端が口の中の他の所に触れて不便である。
【００１９】
前記ヘッド１００は、体積を持って、上面と下面が、多角形やその他の様々な形態で形成されることができるが、最も好ましくは、図１及び図２に示すような角が緩やかに形成された直方体形状である。前記ヘッド１００の角が緩やかに形成される理由は、前記ヘッド１００が直接ユーザの口の中に入る部分であるため、傷が発生することができる角状を使用しないことが好ましいからである。多角形に形成される場合も、前記直方体の場合と同様に、直接ユーザの口の中に入る部分であるため、角や頂点の部分を丸い形にして、ユーザが安全に使用できるようにする。
【００２０】
図１及び図４に示すように、前記下側ブラシ２００は、前記ヘッド１００の下面に垂直に形成される。前記下側ブラシ２００は、直接的に歯に接触する部位であるので、一般的な歯ブラシの歯ブラシの毛に該当する構成である。前記下側ブラシ２００が、歯の表面と摩擦して歯の表面に存在する細菌膜を取り外すものである。図３に示すように、前記下側ブラシ２００は、前記ハンドル３００側から離れるほど長くなる。これは、歯の側面を磨くことを考慮した構成である。一般的に、奥歯のように口腔の奥深くに位置する歯は、食べ物と接触する歯の端である歯冠から歯茎側に行くほど幅が狭くなる構成を有している。これにより、奥歯のように口腔の奥深くに位置する歯は、側面が歯茎に行くほど狭くなる形態で傾斜するように形成されるので、前記下側ブラシ２００の長さもこれに対応して異なるように構成されたものである。ユーザが本考案のＬ字型歯ブラシを使用して歯列の側面を磨きたいときに、前記下側ブラシ２００の短いブラシ部分は、歯の側面の上端に位置し、長いブラシ部分は、歯の側面の下端に位置する。
【００２１】
図３に示すように、前記ハンドル３００は、前記ヘッド１００の中央一側面に連結され、Ｌ字型に屈曲されて前記ヘッド１００の下面に垂直な方向に延長形成される。前記ヘッド１００と前記ハンドル３００が形成される間の角度、すなわち、折れた角度は、約８０度から１００度の間が可能であるが、好ましくは、図３に示されたような９０度に近い。前記ヘッド１００と前記ハンドル３００が形成される間の角度が８０度から１００度の間であり、好ましく９０度に近い理由は、前記角度を超えた場合、ユーザが前記ハンドル３００を握って歯磨きを行う場合、口の中の隅々を磨くことが難しいからである。図３に示すように、前記ヘッド１００と前記ハンドル３００がなす角度が９０度に近くなると、歯の側面及び奥歯の内側のように口腔の死角地帯を磨くときに、ユーザの力の損失がなく、磨くことが可能である。
【００２２】
前記ヘッド１００及び前記ハンドル３００は、一体化されて製作が可能である。また、一体化される場合に同じ材質で製作され、材質は、弾性のあるプラスチックで形成され、前記ハンドル３００の部分にシリコンを重ねて当てて製作することができる。また、前記ハンドル３００は、ユーザが直接把持する部分であるため、人間工学的な設計が可能となり、曲線やその他の把持が容易な形状を成すことができる。 
【００２３】
図１〜図４に示すように、本考案によるＬ字型歯ブラシの一実施例は、前記ヘッド１００の上面に形成された前記上側ブラシ４００をさらに含むことが可能である。前記上側ブラシ４００は、前記下側ブラシ２００とともに前記ヘッド１００の両面に備えされるが、これは、抜歯された部分の周辺にある歯をより容易に歯磨きをするためである。通常、奥歯や親知らずが抜歯された場合を除き、抜歯された部位の両側には、歯が位置する。この両側の歯が対向する側面は、歯磨きをするのに不便な側面があるが、本考案によるＬ字型歯ブラシを使用すると、容易に歯を磨くことが可能である。図４は、本考案によるＬ字型歯ブラシを使用して抜歯した部分を磨く使用例として、前記ヘッド１００の両面に備えられた前記下側ブラシ２００と、前記上側ブラシ４００を介して両側の歯を容易に磨くことができる。図４のように抜歯された部分を磨くためには、図４に示すように抜歯された部分に本考案によるＬ字型歯ブラシが挿入されるため、前記下側ブラシ２００の先端から前記上側ブラシ４００の先端までの長さが抜歯された歯の幅だけの長さと同じことができる。前記下側ブラシ２００の先端から前記上側ブラシ４００の先端まで長さが抜歯された歯の幅よりも長い場合、前記下側ブラシ２００と、前記上側ブラシ４００のいずれかが対角線方向に挿入されて一方の歯の側面を洗浄し、一方の歯の側面の洗浄が終わったら、もう一方の歯の側面を洗浄する方法で交互に歯磨きをする。
【００２４】
前記下側ブラシ２００と前記上側ブラシ４００とは、一般的な歯ブラシの歯ブラシの毛に使用されるナイロンやポリブチルテレフタレートを使用して製造される。歯ブラシの毛は、歯に挟まった食べ物を容易に除去可能でなければならず、耐久性及び摩擦力が必要であり、口腔に使用されるものであるため、やわらかく弾性がなければならない。また、水気が容易に乾いて細菌が繁殖しない材質が必要であるが、前記材料は、この条件に合致しながらも、製造が容易であるので、歯ブラシの毛として使用されているのである。
【００２５】
図３及び図４に示すように、前記上側ブラシ４００は、前記下側ブラシ２００の形態のように、前記ハンドル３００側は短く形成され、前記ハンドル３００から離れるほど徐々に長くなる形態で形成されうる。前記上側ブラシ４００も前記下側ブラシ２００のように歯の側面を磨く役割をするので、歯の側面と同様の形態を持つように、前記下側ブラシ２００のような形態を有するものである。 
【００２６】
前記下側ブラシ２００及び前記上側ブラシ４００の長さが変化する程度は、ユーザの歯の形態に応じて異なりうる。これは、ユーザの歯の形態に応じて前記上側ブラシ４００が傾斜を持つため、長くなる程度が変わるためである。
【００２７】
前記下側ブラシ２００と前記上側ブラシ４００とは、一体化されて形成されうる。すなわち、前記下側ブラシ２００をなす一つ一つの歯ブラシの毛が前記ヘッド１００を貫通して両側がそれぞれ前記下側ブラシ２００と前記上側ブラシ４００とを成すことができる。前記下側ブラシ２００と前記上側ブラシ４００とを固定する方法は、様々な方法で可能である。その一つとして前記ヘッド１００の中端に前記下側ブラシ２００と前記上側ブラシ４００に垂直な方向にスライド可能な固定装置を備え、前記固定装置の挿入時に固定され、前記固定装置が脱去されと、前記下側ブラシ２００及び前記上側ブラシ４００を解除可能になる。
【００２８】
別の方法としては、前記ヘッド１００の上面から下面へ穴が折れた形で穿孔し、その穴に歯ブラシの毛を挿入して固定する方法である。前記下側ブラシ２００と前記上側ブラシ４００が一体化されてなる場合、廃棄物が少なく発生する効果がある。
【００２９】
本考案は、前記実施例に限定されるものではなく、適用範囲が多様であることはもちろん、請求範囲で請求する本考案の要旨を逸脱することなく、様々な変形実施が可能なことは言うまでもない。
【符号の説明】
【００３０】
１００：ヘッド
２００：下側ブラシ
３００：ハンドル
４００：上側ブラシ
Ｗ：ヘッドの横の長さ
Ｈ：ヘッドの縦の長さ
【図１】
0003206056.tif 000003
【図２】
0003206056.tif 000004
【図３】
0003206056.tif 000005
【図４】
0003206056.tif 000006